(57)【特許請求の範囲】
【請求項１】
昇降路に沿って延びるガイドレールに仮設され、支持対象装置を支持するエレベータ仮設支持装置であって、
前記支持対象装置を支持する支持本体と、
前記ガイドレールに設けられた目板に支持され、前記支持本体を支持する高さ位置調整部材と
を備え、
前記高さ位置調整部材は、前記ガイドレールにおける平板部の背面に設けられる高さ位置調整板と、前記平板部および前記高さ位置調整板を挟むことによって前記高さ位置調整板を前記平板部に固定する挟み固定部材とを有し、
前記挟み固定部材は、前記高さ位置調整板との間に前記平板部の幅方向一端部が挟まれる一端部挟み部材と、前記高さ位置調整板に形成された長穴に挿入され、前記一端部挟み部材を前記高さ位置調整板に固定する締結部材と、前記高さ位置調整板との間に前記平板部の幅方向他端部が挟まれる他端部挟み部材とを有し、
前記長穴は、前記締結部材が前記一端部挟み部材を前記高さ位置調整板に固定していない場合に前記高さ位置調整板の幅方向についての前記一端部挟み部材と前記他端部挟み部材との間の寸法が変更可能となるように形成されており、
前記長穴は、前記高さ位置調整板の幅方向について前記他端部挟み部材から離れるにつれて上方に向かうように水平面に対して傾斜しているエレベータ仮設支持装置。
【請求項２】
前記高さ位置調整部材は、前記ガイドレールに沿って並べられる複数の高さ位置調整板を有し、
前記ガイドレールに沿った方向についての前記目板と前記支持本体との間の寸法は、前記高さ位置調整板の数が増減することによって、変更可能となっている請求項１に記載のエレベータ仮設支持装置。
【発明の詳細な説明】
【技術分野】
【０００１】
この発明は、目板に取り付けられて、例えば、足場、かご、つり合いおもりなどの支持対象装置を支持するエレベータ仮設支持装置に関する。
【背景技術】
【０００２】
従来、昇降路に沿って並べられた一対のガイドレールに渡って固定された目板の上面に当接してガイドレールに固定される吊りプレートと、吊りプレートとかごまたはつり合いおもりを連結する連結用金具とを備えた吊り装置が知られている（例えば、特許文献１参照）。
【先行技術文献】
【特許文献】
【０００３】
【特許文献１】実開平０２−６９６８２号公報
【発明の概要】
【発明が解決しようとする課題】
【０００４】
しかしながら、かご、つり合いおもりなどの支持対象装置を支持する吊りプレートなどの支持本体が目板の上面に当接してガイドレールに固定されているので、昇降路における高さ方向の位置の中で、目板が取り付けられている位置にしか支持本体を配置することができない。これにより、支持本体の設置自由度が低下するという問題点があった。
【０００５】
この発明は、支持本体の設置自由度を向上させることができるエレベータ仮設支持装置を提供するものである。
【課題を解決するための手段】
【０００６】
この発明に係るエレベータ仮設支持装置は、昇降路に沿って延びるガイドレールに仮設され、支持対象装置を支持するエレベータ仮設支持装置であって、支持対象装置を支持する支持本体と、ガイドレールに設けられた目板に支持され、支持本体を支持する高さ位置調整部材とを備え、高さ位置調整部材は、ガイドレールにおける平板部の背面に設けられる高さ位置調整板と、平板部および高さ位置調整板を挟むことによって高さ位置調整板を平板部に固定する挟み固定部材とを有し、挟み固定部材は、高さ位置調整板との間に平板部の幅方向一端部が挟まれる一端部挟み部材と、高さ位置調整板に形成された長穴に挿入され、一端部挟み部材を高さ位置調整板に固定する締結部材と、高さ位置調整板との間に平板部の幅方向他端部が挟まれる他端部挟み部材とを有し、長穴は、締結部材が一端部挟み部材を高さ位置調整板に固定していない場合に高さ位置調整板の幅方向についての一端部挟み部材と他端部挟み部材との間の寸法が変更可能となるように形成されており、長穴は、高さ位置調整板の幅方向について他端部挟み部材から離れるにつれて上方に向かうように水平面に対して傾斜している。
【発明の効果】
【０００７】
この発明に係るエレベータ仮設支持装置によれば、ガイドレールに設けられた目板に支持され支持本体を支持する高さ位置調整部材を備えているので、支持本体の設置自由度を向上させることができる。
【図面の簡単な説明】
【０００８】
【図１】この発明の実施の形態１に係るエレベータ仮設支持装置を用いてかごを支持する様子を示す正面図である。
【図２】図１のエレベータ仮設支持装置を示す側面図である。
【図３】図１の高さ位置調整部材を示す側面図である。
【図４】図３のＩＶ−ＩＶ線に沿った矢視断面図である。
【図５】この発明の実施の形態２に係るエレベータ仮設支持装置における高さ位置調整板および挟み固定部材を示す背面図である。
【図６】図５の高さ位置調整板および挟み固定部材を示す平面図である。
【図７】この発明の実施の形態３に係るエレベータ仮設支持装置における高さ位置調整板および挟み固定部材を示す斜視図である。
【図８】図７の高さ位置調整板および挟み固定部材を示す平面図である。
【図９】図７の高さ位置調整板および挟み固定部材を示す側面図である。
【図１０】図７の高さ位置調整板がガイドレールに取り付けられる様子を示す図である。
【図１１】図１０の高さ位置調整板がガイドレールに取り付けられた状態を示す平面図である。
【図１２】この発明の実施の形態４に係るエレベータ仮設支持装置における高さ位置調整板および挟み固定部材を示す斜視図である。
【図１３】図１２の高さ位置調整板および挟み固定部材を示す平面図である。
【図１４】図１２の高さ位置調整板および挟み固定部材を示す側面図である。
【図１５】図１２の高さ位置調整板をガイドレールに取り付ける様子を示す図である。
【図１６】図１５の高さ位置調整板がガイドレールに取り付けられた状態を示す平面図である。
【図１７】この発明の実施の形態５に係るエレベータ仮設支持装置の要部を示す背面図である。
【発明を実施するための形態】
【０００９】
実施の形態１．
図１はこの発明の実施の形態１に係るエレベータ仮設支持装置を用いてかごを支持する様子を示す正面図、図２は図１のエレベータ仮設支持装置を示す側面図である。図において、昇降路１には、一対のガイドレール２が昇降路１の幅方向に離れて配置されている。昇降路１の幅方向とは、乗場から昇降路１を視た場合の幅方向、言い換えれば、間口方向であって、図１の矢印Ａの方向である。それぞれのガイドレール２は、昇降路１に沿って並べられた複数のガイドレール片２１を有している。高さ方向に並ぶ一対のガイドレール片２１の間には、目板３が固定されている。一対のガイドレール片２１が目板３に固定されることによって、一対のガイドレール片２１が互いに固定される。
【００１０】
ガイドレール２は、昇降路１の壁に対向する平板部２２と、平板部２２から他方のガイドレール２に向かって突出する案内板２３とを有している。目板３は、平板部２２の裏面にボルトおよびナットを用いて固定されている。平板部２２の裏面とは、平板部２２における昇降路１の壁に対向する面である。
【００１１】
一対のガイドレール２には、昇降路１に沿って昇降可能なかご４が設けられている。かご４は、かご本体４１と、かご本体４１を支持するかご枠４２と、かご枠４２に取り付けられ、ガイドレール２に案内される４個のガイドシュー４３とを有している。かご枠４２は、かご本体４１よりも上方に設けられ昇降路１の幅方向に延びる上枠４２１を有している。
【００１２】
エレベータ仮設支持装置５Ａは、支持本体６と、支持本体６に取り付けられ、支持本体６とかご４とを連結する一対の連結金具７と、目板３に支持され、支持本体６を支持する高さ位置調整部材８とを備えている。この例では、エレベータ仮設支持装置５Ａに支持される支持対象装置としてかご４を例に説明する。支持本体６は、連結金具７を介してかご４を支持する。
【００１３】
連結金具７は、一端部が支持本体６に接続されたロープ７１と、ロープ７１の他端部に接続されたチェーンブロック７２とを備えている。チェーンブロック７２は、チェーン７２１と、チェーン７２１を移動させる駆動部７２２とを有している。チェーン７２１の下端部は、上枠４２１に巻き付けられる。駆動部７２２が駆動することによって、チェーン７２１の下端部が昇降路１に沿って昇降する。
【００１４】
高さ位置調整部材８は、ガイドレール２に沿って並べられる複数の高さ位置調整板８１を有している。ガイドレール２に沿った方向についての目板３と支持本体６との間の寸法は、高さ位置調整板８１の数が増減することによって、変更可能となっている。この例では、３個の高さ位置調整板８１が並べられている。なお、高さ位置調整板８１の数は、３個に限らず、その他の数であってもよい。また、この例では、それぞれの高さ位置調整板８１の高さ方向の寸法は、同一となっている。なお、それぞれの高さ位置調整板８１の高さ方向の寸法は、互いに異なってもよい。異なる高さ方向の寸法の複数の高さ位置調整板８１を組み合わせることによって、目板３と支持本体６との間の距離の寸法をより細かく調整することができる。
【００１５】
図３は図１の高さ位置調整部材８を示す側面図、図４は図３のＩＶ−ＩＶ線に沿った矢視断面図である。高さ位置調整部材８は、ガイドレール２の平板部２２と高さ位置調整板８１と挟むことによって高さ位置調整板８１を平板部２２に固定する挟み固定部材８２をさらに有している。
【００１６】
挟み固定部材８２は、高さ位置調整板８１との間に平板部２２の幅方向一端部が挟まれる一端部挟み部材であるレールクリップ８２１と、高さ位置調整板８１に形成された長穴８１１に挿入され、レールクリップ８２１を高さ位置調整板８１に固定する締結部材８２２と、高さ位置調整板８１との間に平板部２２の幅方向他端部を挟む他端部挟み部材であるレールクリップ８２３と、高さ位置調整板８１に形成された貫通孔に挿入され、レールクリップ８２３を高さ位置調整板８１に固定する締結部材８２４とを有している。
【００１７】
締結部材８２２は、ボルトおよびナットから構成されている。ボルトが長穴８１１に挿入された状態で、ボルトの先端部にナットが固定されることによって、レールクリップ８２１が高さ位置調整板８１に固定される。長穴８１１は、高さ位置調整板８１の幅方向に延びて配置されている。したがって、締結部材８２２がレールクリップ８２１を高さ位置調整板８１に固定していない場合に、レールクリップ８２１は、高さ位置調整板８１に対して高さ位置調整板８１の幅方向に移動可能となる。その結果、レールクリップ８２１とレールクリップ８２３との間の寸法が変更可能となる。言い換えれば、長穴８１１は、締結部材８２２がレールクリップ８２１を高さ位置調整板８１に固定していない場合に高さ位置調整板８１の幅方向についてレールクリップ８２１とレールクリップ８２３との間の寸法が変更可能となるように形成されている。レールクリップ８２１が高さ位置調整板８１の幅方向に移動することによって、幅方向寸法が異なる複数の種類のガイドレール２に対して、同一の高さ位置調整部材８を固定することができる。高さ位置調整板８１の幅方向とは、高さ位置調整板８１が平板部２２に固定された場合であって昇降路１の幅方向に高さ位置調整板８１を視た場合の高さ位置調整板８１についての幅方向であって、図３および図４の矢印Ｂの方向である。レールクリップ８２１が高さ位置調整板８１に固定され、かつ、レールクリップ８２３が高さ位置調整板８１に固定されることによって、高さ位置調整板８１が平板部２２に固定される。
【００１８】
締結部材８２４は、締結部材８２２と同様に、ボルトおよびナットから構成されている。ボルトが高さ位置調整板８１の貫通孔に挿入された状態で、ボルトの先端部にナットが固定されることによって、レールクリップ８２３が高さ位置調整板８１に固定される。
【００１９】
次に、エレベータ仮設支持装置５Ａを用いてかご４を支持する方法について説明する。まず、かご４を目的の位置に移動させる。目的の位置としては、例えば、昇降路１における最上部が挙げられる。つり合いおもりを取り外す場合には、かご４を昇降路１における最上部に移動させる。なお、目的の位置としては、その他の位置であってもよい。かご４を目的の位置に移動させた後、かご４よりも上方にある目板３に高さ位置調整部材８を設置し、さらに、高さ位置調整部材８に支持本体６を設置し、高さ位置調整部材８および支持本体６をガイドレール２に固定する。この時、高さ位置調整部材８の高さ方向の寸法は、目板３と支持本体６との間の高さ方向の寸法に対応させて調整する。
【００２０】
その後、連結金具７のロープ７１を支持本体６に接続し、連結金具７のチェーンブロック７２を上枠４２１に接続する。以上により、エレベータ仮設支持装置５Ａを用いてかごを支持させる方法が終了する。
【００２１】
以上説明したように、この発明の実施の形態１に係るエレベータ仮設支持装置５Ａによれば、かご４を支持する支持本体６と、ガイドレール２に設けられた目板３に支持され、支持本体６を支持する高さ位置調整部材８とを備えているので、支持本体６の設置自由度を向上させることができる。その結果、支持本体６の位置を調整することによって、チェーンブロック７２の水平面に対する角度を、決められた角度以上にすることができる。
【００２２】
また、高さ位置調整部材８は、ガイドレール２に沿って並べられる複数の高さ位置調整板８１を有し、ガイドレール２に沿った方向についての目板３と支持本体６との間の寸法は、高さ位置調整板８１の数が増減することによって、変更可能となっているので、支持本体６の設置自由度をさらに向上させることができる。
【００２３】
また、高さ位置調整部材８は、ガイドレール２における平板部２２の背面に設けられる高さ位置調整板８１と、平板部２２および高さ位置調整板８１挟むことによって高さ位置調整板８１を平板部２２に固定する挟み固定部材８２とを有しているので、高さ位置調整板８１を平板部２２に固定することによって、目板３による高さ位置調整板８１の支持をより確実にすることができる。
【００２４】
また、挟み固定部材８２は、高さ位置調整板８１との間に平板部２２の幅方向一端部が挟まれるレールクリップ８２１と、高さ位置調整板８１に形成された長穴８１１に挿入され、レールクリップ８２１を高さ位置調整板８１に固定する締結部材８２２と、高さ位置調整板８１との間に平板部２２の幅方向他端部が挟まれるレールクリップ８２３とを有し、長穴８１１は、締結部材８２２がレールクリップ８２１を高さ位置調整板８１に固定していない場合に高さ位置調整板８１の幅方向についてレールクリップ８２１とレールクリップ８２３との間の寸法が変更可能となるように形成されているので、幅方向寸法が異なる複数の種類のガイドレール２に対して、同一の高さ位置調整部材８を固定することができる。
【００２５】
実施の形態２．
図５はこの発明の実施の形態２に係るエレベータ仮設支持装置における高さ位置調整板および挟み固定部材を示す背面図、図６は図５の高さ位置調整板および挟み固定部材を示す平面図である。実施の形態２に係るエレベータ仮設支持装置では、挟み固定部材８２は、レールクリップ８２３および締結部材８２４を有しておらず、高さ位置調整板８１の幅方向端部に一体に形成され、ガイドレール２の平板部２２の幅方向他端部を挟む他端部挟み部材８２５を有している。
【００２６】
他端部挟み部材８２５は、高さ位置調整板８１の表面から垂直に延びる垂直部８２５ａと、垂直部８２５ａの先端部から高さ位置調整板８１の幅方向であって高さ位置調整板８１の幅方向一端部に近づく方向に延びる他端部挟み本体部８２５ｂとを有している。垂直部８２５ａは、平板部２２の幅方向他端部の側面に対向する。他端部挟み本体部８２５ｂは、平板部２２の幅方向他端部の表面に対向する。
【００２７】
長穴８１１は、高さ位置調整板８１の幅方向について他端部挟み部材８２５から離れるにつれて上方に向かうように水平面に対して傾斜している。締結部材８２４が長穴８１１に沿って移動することによって、レールクリップ８２１が長穴８１１に沿って移動する。レールクリップ８２１が長穴８１１に沿って移動することによって、レールクリップ８２１と他端部挟み部材８２５との間の寸法が変更される。その他の構成は、実施の形態１と同様である。
【００２８】
次に、高さ位置調整板８１をガイドレール２に固定する方法について説明する。まず、締結部材８２２がレールクリップ８２１を高さ位置調整板８１に固定していない状態で、垂直部８２５ａが平板部２２の幅方向他端部の側面に対向し、他端部挟み本体部８２５ｂが平板部２２の幅方向他端部の表面に対向するように、高さ位置調整板８１をガイドレール２に設置する。この時、垂直部８２５ａと平板部２２の幅方向他端部の側面とを接触させる。
【００２９】
その後、締結部材８２２を長穴８１１に沿って自重により移動させる。締結部材８２２の自重による移動にともなって、レールクリップ８２１が長穴８１１に沿って自重により移動する。これにより、レールクリップ８２１は平板部２２の幅方向一端部の側面と接触する。その後、締結部材８２２を操作することによって、レールクリップ８２１を高さ位置調整板８１に固定する。以上により、高さ位置調整板８１のガイドレール２への固定の方法が終了する。
【００３０】
以上説明したように、この発明の実施の形態２に係るエレベータ仮設支持装置によれば、長穴８１１は、高さ位置調整板８１の幅方向について他端部挟み部材８２５から離れるにつれて上方に向かうように水平面に対して傾斜しているので、締結部材８２２がレールクリップ８２１を高さ位置調整板８１に固定していない場合に、レールクリップ８２１がガイドレール２の平板部２２の一端部に接触するまで、レールクリップ８２１および締結部材８２２が自重により移動する。これにより、レールクリップ８２１を平板部２２の一端部に容易に接触させることができる。その結果、高さ位置調整板８１がガイドレール２に固定された場合に、ガイドレール２に対する高さ位置調整板８１の幅方向への移動をより強く規制することができる。
【００３１】
なお、上記実施の形態２では、挟み固定部材８２はレールクリップ８２３および締結部材８２４を有していない構成について説明したが、実施の形態１と同様に、挟み固定部材８２がレールクリップ８２３および締結部材８２４を有している構成であってもよい。
【００３２】
実施の形態３．
図７はこの発明の実施の形態３に係るエレベータ仮設支持装置における高さ位置調整板および挟み固定部材を示す斜視図、図８は図７の高さ位置調整板および挟み固定部材を示す平面図、図９は図７の高さ位置調整板および挟み固定部材を示す側面図である。実施の形態３に係るエレベータ仮設支持装置では、挟み固定部材８２は、高さ位置調整板８１との間にガイドレール２の平板部２２の幅方向一端部が挟まれる一端部挟み部材８２６と、高さ位置調整板８１との間に平板部２２の幅方向他端部が挟まれる他端部挟み部材８２７と有している。
【００３３】
一端部挟み部材８２６は、高さ位置調整板８１の幅方向一端部から高さ位置調整板８１の表面から垂直に延びる垂直部８２６ａと、垂直部８２６ａの先端部から高さ位置調整板８１の幅方向であって高さ位置調整板８１の幅方向他端部に近づく方向に延びる一端部挟み本体部８２６ｂとを有している。
【００３４】
他端部挟み部材８２７は、高さ位置調整板８１の幅方向他端部から高さ位置調整板８１の表面から垂直に延びる垂直部８２７ａと、垂直部８２７ａの先端部から高さ位置調整板８１の幅方向であって高さ位置調整板８１の幅方向一端部に近づく方向に延びる他端部挟み本体部８２７ｂとを有している。
【００３５】
一端部挟み部材８２６および他端部挟み部材８２７は、高さ位置調整板８１の高さ方向にずれて配置されている。この例では、高さ位置調整板８１の高さ方向が鉛直方向と一致する場合に、一端部挟み部材８２６は、高さ位置調整板８１の高さ方向について、他端部挟み部材８２７よりも下方に配置される。高さ位置調整板８１の高さ方向とは、高さ位置調整板８１がガイドレール２に取り付けられた場合にガイドレール２の長手方向と同一方向となる方向であり、図７の矢印Ｃの方向である。
【００３６】
一端部挟み部材８２６と他端部挟み部材８２７との間の寸法Ｌ１は、平板部２２の幅方向の寸法よりも大きくなっている。
【００３７】
高さ位置調整板８１の幅方向についての一端部挟み部材８２６と他端部挟み部材８２７との間の寸法Ｌ２は、平板部２２の幅方向の寸法よりも小さくなっている。言い換えれば、一端部挟み部材８２６および他端部挟み部材８２７は、高さ方向に視た場合に、一端部挟み部材８２６と他端部挟み部材８２７との間の寸法Ｌ２が平板部２２の幅方向に寸法よりも小さくなっている。具体的には、高さ位置調整板８１の幅方向についての一端部挟み本体部８２６ｂと他端部挟み本体部８２７ｂとの間の寸法は、平板部２２の幅方向の寸法よりも小さくなっている。また、高さ位置調整板８１の幅方向についての垂直部８２６ａと垂直部８２７ａとの間の寸法Ｌ３は、平板部２２の幅方向の寸法よりも大きくなっている。その他の構成は、実施の形態１と同様である。
【００３８】
次に、高さ位置調整板８１をガイドレール２に取り付ける方法について説明する。図１０は図７の高さ位置調整板８１がガイドレール２に取り付けられる様子を示す図、図１１は図１０の高さ位置調整板８１がガイドレール２に取り付けられた状態を示す平面図である。一端部挟み部材８２６と他端部挟み部材８２７との間にガイドレール２の平板部２２が挿入可能となるように、高さ位置調整板８１の高さ方向をガイドレール２の長手方向に対して傾斜させる。
【００３９】
その後、一端部挟み部材８２６と他端部挟み部材８２７との間にガイドレール２を挿入し、さらに、高さ位置調整板８１の高さ方向をガイドレール２の長手方向と一致させる。以上により、高さ位置調整板８１をガイドレール２に取り付ける方法が終了する。
【００４０】
以上説明したように、この発明の実施の形態３に係るエレベータ仮設支持装置によれば、挟み固定部材８２は、高さ位置調整板８１との間に平板部２２の幅方向一端部が挟まれる一端部挟み部材８２６と、高さ位置調整板８１との間に平板部２２の幅方向他端部が挟まれる他端部挟み部材８２７と有し、一端部挟み部材および他端部挟み部材は、高さ位置調整板８１の高さ方向にずれて配置され、一端部挟み部材８２６と他端部挟み部材８２７との間の寸法Ｌ１は、平板部２２の幅方向の寸法よりも大きく、高さ位置調整板８１の幅方向についての一端部挟み部材８２６と他端部挟み部材８２７との間の寸法Ｌ２は、平板部２２の幅方向の寸法よりも小さいので、高さ位置調整板８１をガイドレール２により簡単に取り付けることができる。
【００４１】
実施の形態４．
図１２はこの発明の実施の形態４に係るエレベータ仮設支持装置における高さ位置調整板および挟み固定部材を示す斜視図、図１３は図１２の高さ位置調整板および挟み固定部材を示す平面図、図１４は図１２の高さ位置調整板および挟み固定部材を示す側面図である。実施の形態４に係るエレベータ仮設支持装置では、挟み固定部材８２は、高さ位置調整板８１との間に平板部２２の幅方向一端部が挟まれる一端部挟み部材であるレールクリップ８２１と、高さ位置調整板８１に形成された長穴８１１に挿入され、レールクリップ８２１を高さ位置調整板８１に固定する締結部材８２２とを備えている。長穴８１１は、高さ位置調整板８１の幅方向に延びて形成されている。なお、長穴８１１は、高さ位置調整板８１の幅方向について他端部挟み部材８２７から離れるにつれて上方に向かうように水平面に対して傾斜してもよい。
【００４２】
締結部材８２２は、実施の形態１の締結部材８２２と同様の構成となっている。したがって、レールクリップ８２１は、締結部材８２２がレールクリップ８２１を高さ位置調整板８１に固定していない場合に、レールクリップ８２１は、長穴８１１の長手方向、この例では、高さ位置調整板８１の幅方向に移動可能である。その他の構成は、実施の形態３と同様である。
【００４３】
次に、高さ位置調整板８１をガイドレール２に取り付ける方法について説明する。図１５は図１２の高さ位置調整板８１がガイドレール２に取り付けられる様子を示す図、図１６は図１５の高さ位置調整板８１がガイドレール２に取り付けられた状態を示す平面図である。レールクリップ８２１と他端部挟み部材８２７との間にガイドレール２の平板部２２が挿入可能となるように、高さ位置調整板８１の高さ方向をガイドレール２の長手方向に対して傾斜させる。
【００４４】
その後、レールクリップ８２１と他端部挟み部材８２７との間にガイドレール２を挿入し、さらに、高さ位置調整板８１の高さ方向をガイドレール２の長手方向と一致させる。その後、他端部挟み部材８２７と平板部２２の幅方向他端部の側面とを接触させた状態で、レールクリップ８２１がガイドレール２の平板部２２の幅方向一端部の側面に接触するまで、レールクリップ８２１を高さ位置調整板８１の幅方向に移動させる。その後、締結部材８２２を操作することによって、レールクリップ８２１を高さ位置調整板８１に固定する。以上により、高さ位置調整板８１をガイドレール２に取り付ける方法が終了する。
【００４５】
以上説明したように、この発明の実施の形態４に係るエレベータ仮設支持装置によれば、挟み固定部材８２は、高さ位置調整板８１に形成された長穴８１１に挿入されレールクリップ８２１を高さ位置調整板８１に固定する締結部材８２２を有し、長穴８１１は、締結部材８２２がレールクリップ８２１を高さ位置調整板８１に固定していない場合に高さ位置調整板８１の幅方向についてレールクリップ８２１と他端部挟み部材８２７との間の寸法が変更可能となるように形成されているので、幅方向寸法が異なる複数の種類のガイドレール２に対して、同一の高さ位置調整部材８を固定することができる。
【００４６】
なお、各上記実施の形態では、エレベータ仮設支持装置に支持される支持対象装置としてかごを例に説明したが、例えば、つり合いおもりであってもよい。この場合、エレベータ仮設支持装置は、つり合いおもりを案内するガイドレールに取り付けられる。
【００４７】
実施の形態５．
図１７はこの発明の実施の形態５に係るエレベータ仮設支持装置の要部を示す背面図である。実施の形態５に係るエレベータ仮設支持装置では、実施の形態１と異なり、支持対象装置が足場板となっている。足場板は、昇降路１における任意の高さ位置に設置される。例えば、足場板は、乗場と同じ高さ位置に設置される。図１８では、足場板の一部を構成する単管パイプ９を示している。足場板は、互いに対向する一対の単管パイプ９と、一対の単管パイプ９に渡って設けられる板部材とを有している。
【００４８】
エレベータ仮設支持装置５Ｂは、単管パイプ９が取り付けられる支持本体６と、目板３に支持され、支持本体６を支持する高さ位置調整部材８とを備えている。支持本体６は、単管パイプ９がガイドレール２よりも昇降路１の壁側に配置されるように単管パイプ９を支持する。これにより、板部材が単管パイプ９に設置されていない状態では、かご４が自由に昇降することができる。なお、支持本体６は、単管パイプ９がガイドレール２よりも昇降路１の中心側に配置されるように単管パイプ９を支持する構成であってもよい。その他の構成は、実施の形態１と同様である。なお、高さ位置調整部材８は、実施の形態２〜４と同様であってもよい。
【００４９】
以上説明したように、この発明の実施の形態５に係るエレベータ仮設支持装置によれば、足場板を支持する支持本体６と、ガイドレール２に設けられた目板３に支持され、支持本体６を支持する高さ位置調整部材８とを備えているので、支持本体６の設置自由度を向上させることができる。その結果、支持本体６の位置を調整することによって、足場板の高さ位置を乗場の高さ位置に合わせることができる。
【符号の説明】
【００５０】
１  昇降路、２  ガイドレール、３  目板、４  かご、５Ａ、５Ｂ  エレベータ仮設支持装置、６  支持本体、７  連結金具、８  高さ位置調整部材、９  単管パイプ、２１  ガイドレール片、２２  平板部、２３  案内板、４１  かご本体、４２  かご枠、４３  ガイドシュー、７１  ロープ、７２  チェーンブロック、８１  高さ位置調整板、８２  挟み固定部材、４２１  上枠、７２１  チェーン、７２２  駆動部、８１１  長穴、８２１  レールクリップ（一端部挟み部材）、８２２  締結部材、８２３  レールクリップ（他端部挟み部材）、８２４  締結部材、８２５  他端部挟み部材、８２５ａ  垂直部、８２５ｂ  他端部挟み本体部、８２６  一端部挟み部材、８２６ａ  垂直部、８２６ｂ  一端部挟み本体部、８２７  他端部挟み部材、８２７ａ  垂直部、８２７ｂ  他端部挟み本体部。
【図１】
0006261638.tif 000002
【図２】
0006261638.tif 000003
【図３】
0006261638.tif 000004
【図４】
0006261638.tif 000005
【図５】
0006261638.tif 000006
【図６】
0006261638.tif 000007
【図７】
0006261638.tif 000008
【図８】
0006261638.tif 000009
【図９】
0006261638.tif 000010
【図１０】
0006261638.tif 000011
【図１１】
0006261638.tif 000012
【図１２】
0006261638.tif 000013
【図１３】
0006261638.tif 000014
【図１４】
0006261638.tif 000015
【図１５】
0006261638.tif 000016
【図１６】
0006261638.tif 000017
【図１７】
0006261638.tif 000018